(57)【要約】【課題】コンクリート構造物の上面に目地を形成する場合に、容易に、かつ、精度よく形成できるようにする。【解決手段】コンクリート構造物の上面に目地を形成するための目地形成部材１を鉄筋に固定するための固定治具２０であって、コンクリート構造物の鉄筋１１１に固定される鉄筋固定部２１と、目地形成部材１が取り付けられる目地形成部材取付部２２と、目地形成部材取付部２２の鉄筋固定部２１に対する位置を調整するための調整部２３とを備えている。【選択図】図３
2014047614.tif 000002
【特許請求の範囲】
【請求項１】
コンクリート構造物の上面に目地を形成するための目地形成部材の固定方法であって、
上記コンクリート構造物の鉄筋に対し、固定治具を介して上記目地形成部材を固定する工程と、
上記目地形成部材の位置を上記固定治具によって調整する工程とを備えることを特徴とする目地形成部材の固定方法。
【請求項２】
コンクリート構造物の上面に目地を形成するための目地形成部材を鉄筋に固定するための固定治具であって、
上記コンクリート構造物の鉄筋に固定される鉄筋固定部と、
上記目地形成部材が取り付けられる目地形成部材取付部と、
上記目地形成部材取付部の上記鉄筋固定部に対する位置を調整するための調整部とを備えていることを特徴とする目地形成部材の固定治具。
【請求項３】
請求項２に記載の目地形成部材の固定治具において、
上記鉄筋固定部は、鉄筋を径方向に挟む第１部材と第２部材とを備えるとともに、上記第１部材に対する上記第２部材の位置を調整可能に構成されていることを特徴とする目地形成部材の固定治具。
【請求項４】
請求項２または３に記載の目地形成部材の固定治具において、
上記調整部は、上記目地形成部材取付部の高さを調整可能に構成されていることを特徴とする目地形成部材の固定治具。
【請求項５】
請求項２から４のいずれか１つに記載の目地形成部材の固定治具において、
上記目地形成部材取付部は、上記目地形成部材が載置される載置部と、該載置部に載置された上記目地形成部材をかしめ固定するためのかしめ部とを備えていることを特徴とする目地形成部材の固定治具。
【発明の詳細な説明】
【技術分野】
【０００１】
本発明は、コンクリート構造物に目地を形成するための目地形成部材の固定方法及び固定治具に関するものである。
【背景技術】
【０００２】
一般に、コンクリート構造物においては熱収縮等の影響によってひび割れが発生することが避けられないので、コンクリート構造物に目地を形成し、この目地にひび割れを集中させることでひび割れによる影響をできるだけ抑制することが行われている。
【０００３】
コンクリート構造物に目地を形成する方法としては様々あり、例えば、特許文献１では、コンクリート構造物の鉛直面に目地を形成する方法として、上下方向に延びる棒状の目地形成部材を型枠材の内面に固定し、この型枠材で区画された空間にコンクリートを打設するようにしている。コンクリートの固化後には、鉛直方向に延びる目地が上記目地形成部材によって形成されることになる。
【先行技術文献】
【特許文献】
【０００４】
【特許文献１】特開２０１０−１３３１１３号公報
【発明の概要】
【発明が解決しようとする課題】
【０００５】
コンクリート構造物の鉛直面に目地を形成する場合には上記特許文献１のように目地形成部材を型枠材に固定すればよいのであるが、目地は、コンクリート構造物の上面にも形成しなければならない場合がある。上面用の目地形成部材はコンクリートの打設前に固定しておくことができないので、コンクリートの打設時に目地形成部材を水平にしてコンクリートに上から押さえ込んで仮固定する方法や、仮設用の面木等を用いて所定箇所に仮固定する方法が行われることがある。
【０００６】
ところが、コンクリートの打設時に目地形成部材をコンクリートに押さえ込む場合、コンクリートが未だ固化していない流動状態にあるので、目地形成部材の位置あわせが難しく、精度よく設けることが困難である。また、面木等を用いる場合には、面木をコンクリート構造物の形状や寸法に合わせて加工しなければならず、多くの労力を要していた。
【０００７】
本発明は、かかる点に鑑みてなされたものであり、その目的とするところは、コンクリート構造物の上面に目地を形成する場合に、容易に、かつ、精度よく形成できるようにすることにある。
【課題を解決するための手段】
【０００８】
上記目的を達成するために、本発明では、目地形成部材を固定治具により鉄筋に固定し、固定治具によって位置調整可能にした。
【０００９】
第１の発明は、コンクリート構造物の上面に目地を形成するための目地形成部材の固定方法であって、
上記コンクリート構造物の鉄筋に対し、固定治具を介して上記目地形成部材を固定する工程と、
上記目地形成部材の位置を上記固定治具によって調整する工程とを備えることを特徴とするものである。
【００１０】
この構成によれば、目地形成部材を、固定治具を介して鉄筋に固定し、その目地形成部材の位置調整を固定治具で行うことが可能になる。したがって、コンクリートの打設前に目地形成部材を狙いとする位置に精度よく固定しておくことが可能になる。また、位置調整可能な固定治具を用いたことで、従来の面木を用いる場合のようにコンクリート構造物の形状や寸法に合わせて加工する必要はなく、少ない労力で目地形成部材を固定することが可能になる。
【００１１】
そして、打設したコンクリートが硬化すると、目地形成部材によって上面の所望位置に目地が形成されたコンクリート構造物が得られる。
【００１２】
また、コンクリート構造物の内部にひび割れ誘発目地材を配設する場合があるが、この場合には、コンクリート構造物の上面の目地形成部材と、内部のひび割れ誘発目地材とを位置合わせすることが容易になり、ひび割れを所望部位に確実に発生させることが可能になる。
【００１３】
さらに、目地形成部材を狙いとする位置に精度よく固定しておくことができるので、目地形成部材を、コンクリートの打設時の天端の目印として利用することが可能である。これにより、コンクリート天端の仕上げが容易に行えるようになる。
【００１４】
第２の発明は、コンクリート構造物の上面に目地を形成するための目地形成部材を鉄筋に固定するための固定治具であって、
上記コンクリート構造物の鉄筋に固定される鉄筋固定部と、
上記目地形成部材が取り付けられる目地形成部材取付部と、
上記目地形成部材取付部の上記鉄筋固定部に対する位置を調整するための調整部とを備えていることを特徴とするものである。
【００１５】
この構成によれば、鉄筋固定部を鉄筋に固定し、目地形成部材取付部に目地形成部材を取り付けることで、目地形成部材が固定治具を介して鉄筋に固定されることになる。そして、目地形成部材の位置調整を調整部で行える。固定治具を用いたことで、従来の面木を用いる場合のようにコンクリート構造物の形状や寸法に合わせて加工する必要はなく、少ない労力で目地形成部材を固定することが可能になる。
【００１６】
そして、打設したコンクリートが硬化すると、目地形成部材によって上面の所望位置に目地が形成されたコンクリート構造物が得られる。
【００１７】
また、この発明によっても、コンクリート構造物の内部にひび割れ誘発目地材を配設する場合に、目地形成部材とひび割れ誘発目地材とを位置合わせることが容易になり、ひび割れを所望部位に確実に発生させることが可能になる。
【００１８】
第３の発明は、第２の発明において、
上記鉄筋固定部は、鉄筋を径方向に挟む第１部材と第２部材とを備えるとともに、上記第１部材に対する上記第２部材の位置を調整可能に構成されていることを特徴とするものである。
【００１９】
この構成によれば、第１部材と第２部材により鉄筋を挟むことで鉄筋固定部が鉄筋に固定される。第１部材に対する第２部材の位置を調整することで、鉄筋固定部を径の異なる鉄筋に固定することが可能になるので、固定治具の汎用性が高まる。
【００２０】
第４の発明は、第２または３の発明において、
上記調整部は、上記目地形成部材取付部の高さを調整可能に構成されていることを特徴とするものである。
【００２１】
この構成によれば、鉄筋の位置に関わらず、目地形成部材の高さを調整することが可能になる。
【００２２】
第５の発明は、第２から４のいずれか１つの発明において、
上記目地形成部材取付部は、上記目地形成部材が載置される載置部と、該載置部に載置された上記目地形成部材をかしめ固定するためのかしめ部とを備えていることを特徴とするものである。
【００２３】
この構成によれば、目地形成部材を取り付ける際、目地形成部材を載置部に載置した後、かしめ部をかしめることで容易に取り付けることが可能になる。
【発明の効果】
【００２４】
第１の発明によれば、コンクリート構造物の上面に目地を形成するための目地形成部材を、コンクリート構造物の鉄筋に固定治具を介して固定するとともに、目地形成部材の位置を固定治具によって調整するようにしたので、コンクリート構造物の上面に容易に、かつ、精度よく目地を形成できる。また、内部にひび割れ誘発目地材を配設する場合に、ひび割れを所望部位に確実に発生させることができる。
【００２５】
第２の発明によれば、固定治具が鉄筋固定部と目地形成部材取付部と調整部とを備えているので、コンクリート構造物の上面に容易に、かつ、精度よく目地を形成できる。また、内部にひび割れ誘発目地材を配設する場合に、ひび割れを所望部位に確実に発生させることができる。
【００２６】
第３の発明によれば、鉄筋を径方向に挟む第１部材と第２部材との離間寸法を調整可能にしたので、鉄筋固定部を径の異なる鉄筋に固定することができ、固定治具の汎用性を高めることができる。
【００２７】
第４の発明によれば、鉄筋の位置に関わらず、コンクリート構造物の上面の位置に合うように目地形成部材の高さを調整できる。
【００２８】
第５の発明によれば、目地形成部材が載置される載置部と、載置部に載置された目地形成部材をかしめ固定するためのかしめ部とを備えているので、目地形成部材を固定治具に容易に取り付けることができ、施工作業性を良好にできる。
【図面の簡単な説明】
【００２９】
【図１】目地が形成されたコンクリート構造物の斜視図である。
【図２】鉄筋及び固定治具の位置関係を示す斜視図である。
【図３】鉄筋に取り付けられた状態の固定治具を示す正面図である。
【図４】鉄筋に取り付けられた状態の固定治具を示す側面図である。
【図５】上面に勾配が設定されたコンクリート構造物の正面図である。
【図６】コンクリート構造物の幅方向中央部に設けられる固定治具を示す図３相当図である。
【図７】ひび割れ誘発目地材を配設した場合の図３相当図である。
【図８】ひび割れ誘発目地材を配設した場合の図４相当図である。
【図９】形状の異なる目地形成部材を固定した状態の図３相当図である。
【図１０】実施形態の変形例１を示す図３相当図である。
【図１１】目地形成部材のバリエーションを示す図である。
【図１２】実施形態の変形例２を示す図３相当図である。
【図１３】実施形態の変形例３を示す図３相当図である。
【図１４】実施形態の変形例４を示す図４相当図である。
【図１５】止水材を固着した目地形成部材のバリエーションを示す図である。
【発明を実施するための形態】
【００３０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３１】
図１は、本発明の実施形態にかかる目地形成部材の固定方法及び固定治具を使用して目地Ａを形成したコンクリート構造物１００を示すものである。コンクリート構造物１００は、例えば水路や通路等を構築する場合に使用されるものである。具体的には、コンクリート構造物１００は、底壁部１０１と、底壁部１０１の幅方向両側から上方へ延びる側壁部１０２，１０２と、上壁部１０３とで構成され、鉛直方向の断面が略矩形の角筒状に形成されている。また、図２に示すように、コンクリート構造物１００の各壁部１０１〜１０３の内部には、鉄筋１１０，１１１が配設されている。鉄筋１１０は、コンクリート構造物１００の一方の側壁部１０２から上壁部１０３、他方の側壁部１０２に亘るように、下方に開放するコ字状に形成されている。一方、鉄筋１１１は、コンクリート構造物１００の長手方向に延びている。
【００３２】
目地Ａは、図１に示すようにコンクリート構造物１００の上壁部１０３の上面と、側壁部１０２の外面とに連続して形成されており、目地形成部材１０をコンクリートの打設時に埋め込み、コンクリートを固化させることによって形成されたものである。側壁部１０２の目地Ａは、例えば型枠材に目地形成部材（共に図示せず）を固定しておき、この型枠材で区画された空間にコンクリートを打設することによって形成することが可能である。これに対し、上壁部１０３の目地Ａは、図３及び図４等に示す固定治具２０を介して鉄筋１１１に固定された目地形成部材１によって形成されたものである。
【００３３】
目地形成部材１の構造について図３に基づいて説明すると、目地形成部材１は、略矩形の閉断面を有する棒状部２と、棒状部２の下面から下方へ突出する一対の板状脚部３，３とを備えており、樹脂材による一体成形品である。脚部３，３は、棒状部２の長手方向両端に亘って連続している。また、脚部３，３は下側へ行くほど互いに大きく離れるように傾斜している。脚部３，３の下端部は、厚肉に形成され、円形断面を有している。
【００３４】
固定治具２０は、鉄筋１１１に固定される鉄筋固定部２１と、目地形成部材１が取り付けられる目地形成部材取付部２２と、目地形成部材取付部２２の鉄筋固定部２１に対する位置を調整するための調整部２３とを備えている。調整部２３は、外周面にねじ溝が連続して形成されたねじ棒２６と、ねじ棒２６に螺合する第１ナット２７及び第２ナット２８とを有している。ねじ棒２６は上下方向に延びている。
【００３５】
図４に示すように、鉄筋固定部２１は、鉄筋１１１を径方向に挟むことによって鉄筋１１１に固定されるように構成されており、ねじ棒２６から該ねじ棒２６の径方向に突出するように設けられている。鉄筋固定部２１は、鉄筋１１１に接するように形成された板材（第１部材）３０と、鉄筋１１１に径方向から接する調整ボルト（第２部材）３１と、調整ボルト３１が螺合するナット３２とを備えている。
【００３６】
板材３０は、調整部２３に固定される固定板部３０ａと、屈曲形成された屈曲板部３０ｂと、ナット３２が取り付けられるナット取付板部３０ｃとを備えている。固定板部３０ａの基端側は、ねじ棒２６の軸方向と直交する方向に延びており、ねじ棒２６が挿通する挿通孔３０ｆが形成されている。この挿通孔３０ｆは、長い長孔で構成されている。挿通孔３０ｆの長手方向は、ねじ棒３６の径方向で、かつ、取付状態にある目地形成部材１の長手方向と直交する方向である。固定板部３０ａは、図３に示すように側面視で折れ曲がっており、固定板部３０ａの先端側は、ねじ棒２６の軸方向と略平行に延びた後、ねじ棒２６の軸方向と直交する方向に折れ曲がっている。
【００３７】
屈曲板部３０ｂ及びナット取付板部３０ｃは、固定板部３０ａの先端側において上方へ突出するように一体成形されている。屈曲板部３０ｂ及びナット取付板部３０ｃは、互いに対向しており、屈曲板部３０ｂとナット取付板部３０ｃとの間に鉄筋１１１が挿入可能となっている。屈曲板部３０ｂとナット取付板部３０ｃとの間隔は、一般に用いられる鉄筋１１１のうち、最も太い物を挿入することができるように広めに設定されている。
【００３８】
屈曲板部３０ｂは、鉄筋１１１が嵌るように、ナット取付板部３０ｃ側に開放する略Ｖ字状に屈曲している。ナット取付板部３０ｃは、ねじ棒２６の軸方向に延びている。ナット取付板部３０ｃには、調整ボルト３１が挿通するボルト挿通孔３０ｅが形成されている。ナット３２は、ナット取付板部３０ｃの屈曲板部３０ｂとは反対側の面に取り付けられている。ナット３２の中心孔とボルト挿通孔３０ｅとは一致している。
【００３９】
調整ボルト３１はナット３２に対し、屈曲板部３０ｂと反対側から螺合し、ナット取付板部３０ｃのボルト挿通孔３０ｅを挿通する。調整ボルト３１を締め込むことで調整ボルト３１の先端と屈曲板部３０ｂとが接近し、調整ボルト３１を緩めることで調整ボルト３１の先端が屈曲板部３０ｂから離れていく。
【００４０】
板材３０の固定板部３０ａは、第１ナット２７と第２ナット２８とで挟持されている。第１ナット２７と第２ナット２８を回転させることにより、固定板部３０ａに対するねじ棒２６の位置を上下方向で変えることが可能となっている。
【００４１】
ねじ棒２６の上端部には、目地形成部材取付部２２が設けられている。目地形成部材取付部２２は、ねじ棒２６の上端部から該ねじ棒２６の径方向に突出して略水平に延びる突出板部３５と、突出板部３５の先端側の上面に固定されたかしめ板部３６とを備えている。突出板部３５の突出方向は、鉄筋固定部２１とは反対側である。かしめ板部３６は、略水平に延び、目地形成部材１が載置される載置部３６ａと、載置部３６ａの両側縁部に設けられた一対のかしめ部３６ｂ，３６ｂとを有している。載置部３６ａには、目地形成部材１の脚部３，３の下端部が載置される。かしめ部３６ｂ，３６ｂは、載置部３６ａに載置された目地形成部材１をかしめ固定するためのものである。かしめ部３６ｂ，３６ｂのかしめ前の形状は、仮想線で示すように目地形成部材１の脚部３，３を上方からかしめ部３６ｂ，３６ｂの間に挿入可能な形状となっている。このかしめ部３６ｂ，３６ｂを目地形成部材１の脚部３，３に接近する側に折り曲げることで、目地形成部材１をかしめ固定することが可能になっている。
【００４２】
次に、上記のように構成された固定治具２０を使用して目地形成部材１を固定する方法について説明する。図５に示すように、コンクリート構造物１００の上面に勾配が設けられる場合がある。この場合、内部の鉄筋１１０，１１１は略水平に配筋されるので、コンクリート構造物１００の上面と鉄筋１１０，１１１との上下方向の離間寸法は、コンクリート構造物１００の幅方向中央部に近づくほど長くなる。
【００４３】
鉄筋１１０，１１１の配筋が完了すると、固定治具２０を鉄筋１１１に固定する。この実施形態では、図２に示すように、固定治具２０をコンクリート構造物１００の幅方向に３つ（両端及び中央部）固定するようにしているが、固定治具２０の個数や位置はこれに限られるものではない。
【００４４】
固定治具２０を固定するときには、事前に鉄筋固定部２１の調整ボルト３１を緩めて調整ボルト３１の先端と屈曲板部３０ｂとの間隔を広めに設定しておく。そして、調整ボルト３１と屈曲板部３０ｂとの間に、鉄筋１１１がそれらの上側から挿入されるように固定治具２０を移動させていく。鉄筋１１１を屈曲板部３０ｂの内方に配置してから調整ボルト３１を締め込んでいく。すると、調整ボルト３１の先端が鉄筋１１１に接近していき、やがて鉄筋１１１に接する。これにより、屈曲板部３０ｂと調整ボルト３１とが鉄筋１１１を径方向に挟んだ状態となり、鉄筋固定部２１が鉄筋１１１に固定される。このように調整ボルト３１の締め込みで鉄筋１１１に固定するようにしたので、鉄筋１１１の径が異なっても調整ボルト３１の締め込み量で調整して鉄筋固定部２１を様々な径の鉄筋１１１に固定することができる。
【００４５】
その後、目地形成部材１の脚部３，３を目地形成部材取付部２２の載置部３６ａに載置する。次いで、かしめ部３６ｂ，３６ｂを、載置部３６ａに載置された目地形成部材１の脚部３，３に接近するまで折り曲げる。これにより、目地形成部材１が目地形成部材取付部２２に取り付けられる。
【００４６】
目地形成部材１の位置調整は、第１ナット２７及び第２ナット２８を回転させることによって行うことができ、目地形成部材１を目地形成部材取付部２２に取り付けた状態で行ってもよいし、取り付ける前に行ってもよい。すなわち、第１ナット２７及び第２ナット２８が上に移動する方向に第１ナット２７及び第２ナット２８を回転させると、目地形成部材１を上方へ移動させることができ、一方、第１ナット２７及び第２ナット２８が下に移動する方向に第１ナット２７及び第２ナット２８を回転させると、目地形成部材１を下方へ移動させることができる。目地形成部材１の調整範囲は、ねじ棒２６の長さによって設定することができ、十分に広い範囲となるように設定しておく。
【００４７】
また、第１ナット２７を緩めた状態では、ねじ棒３６を板材３０の挿通孔３０ｆの長手方向に移動させることができる。ねじ棒３６が挿通孔３０ｆの長手方向の任意の位置にきたときに第１ナット２７及び第２ナット２８を締めることで、ねじ棒３６をその位置で板部３０に固定することができる。従って、目地形成部材取付部２２の水平方向の位置調整も行うことができる。
【００４８】
図３及び図４は、コンクリート構造物１００の幅方向両端に設けられる固定治具２０を示している。一方、図６は、コンクリート構造物１００の幅方向中央部に設けられる固定治具２０を示している。コンクリート構造物１００の上面に上述した勾配が設けられているため、幅方向中央部では両端に比べて目地形成部材１が高くなるようにする必要がある。これに対応するように、コンクリート構造物１００の幅方向中央部に設けられる固定治具２０（図６）では、両端に設けられる固定治具２０（図３）に比べて目地形成部材取付部２２の高さを高くしている。
【００４９】
このように、目地形成部材１を、固定治具２０を介して鉄筋１１１に固定し、その目地形成部材１の位置調整を固定治具２０で行うことが可能になる。したがって、コンクリートの打設前に目地形成部材１を狙いとする位置に精度よく固定しておくことが可能になる。また、位置調整可能な固定治具２０を用いたことで、従来の面木を用いる場合のようにコンクリート構造物１００の寸法に合わせて加工する必要はなく、少ない労力で目地形成部材１を固定することが可能になる。
【００５０】
そして、コンクリートを打設し、打設したコンクリートが硬化すると、目地形成部材１がコンクリート構造物１００に埋め込まれ、目地形成部材１によってコンクリート構造物１００の上面の所望位置に目地Ａが形成される。
【００５１】
目地形成部材１を狙いとする位置に精度よく固定しておくことができるので、目地形成部材１を、コンクリートの打設時の天端の目印として利用することが可能である。これにより、コンクリート天端の仕上げが容易に行えるようになる。
【００５２】
以上説明したように、本発明の実施形態によれば、コンクリート構造物１００の上面に目地Ａを形成するための目地形成部材１を、コンクリート構造物１００の鉄筋１１１に固定治具２０を介して固定するとともに、目地形成部材１の位置を固定治具２０によって調整するようにしたので、コンクリート構造物１００の上面に容易に、かつ、精度よく目地Ａを形成できる。
【００５３】
また、鉄筋１１１を屈曲板部３０ｂと調整ボルト３１とで挟むことによって鉄筋固定部２１を鉄筋１１１に固定するようにしているので、鉄筋固定部２１を径の異なる鉄筋１１１に固定することができる。これにより、固定治具２０の汎用性を高めることができる。
【００５４】
また、目地形成部材１を取り付ける際、目地形成部材１を載置部３６ａに載置した後、かしめ部３６ｂ，３６ｂをかしめることで容易に取り付けることができ、施工作業性を良好にできる。
【００５５】
尚、図７及び図８に示すように、本実施形態にかかる固定治具２０は、コンクリート構造物１００の内部にひび割れ誘発目地材５０を配設する場合に使用することもできる。ひび割れ誘発目地材５０は、コンクリート構造物１００の内部に断面欠損部を形成することによってコンクリート構造物１００にひび割れを誘発するためのものであり、周知のものであるため詳細な説明は省略する。ひび割れ誘発目地材５０は、鉄筋１１１に対し例えば針金等を使用して固定することができる。本実施形態では、固定治具２０により目地形成部材１を固定するようにしているので、目地形成部材１の位置が正確になり、ひび割れ誘発目地材５０との位置合わせを正確に行うことができる。これにより、ひび割れを所望部位に確実に発生させることが可能になる。
【００５６】
また、コンクリート構造部の形状や構造は上記したものに限られず、上面に目地を形成するコンクリート構造物であれば本発明を適用することができる。
【００５７】
また、目地形成部材１の形状は、上記した形状に限られるものではなく、例えば、図９に示すように、断面が台形状の目地形成部材１を固定治具２０に固定することもできる。この場合、台形の短辺側が下に位置するように目地形成部材１を配置した後、かしめ固定する。また、目地形成部材１の材質は、樹脂以外にも木であってもよい。
【００５８】
また、図１０に示す変形例１のように、断面が上下に長い長方形の中空状目地形成部材１を固定治具２０に固定することもできる。この場合、目地形成部材取付部２２の形状を、目地形成部材１に合うような形状にすることができる。目地形成部材取付部２２の材質は、例えば、亜鉛メッキ鋼板、ステンレス、鉄等であってもよく、特に限定されない。
【００５９】
また、固定治具２０に固定する目地形成部材１は、図１１に示すように様々な形状のものを例示することができる。図１１（ａ）に示す目地形成部材１は、断面が上下に長い長方形であり、図１１（ｂ）に示す目地形成部材１は、断面が三角形であり、図１１（ｃ）に示す目地形成部材１は、上部に略水平な板状部分を備え、下部に一対の脚部３，３を備えている。これら以外にも、様々な形状の目地形成部材１を固定治具２０に固定することができ、目地形成部材１の形状に合うように目地形成部材取付部２２の形状を変更すればよい。
【００６０】
また、目地形成部材取付部２２のねじ棒２６に対する固定位置は上記した位置に限られるものではなく、例えば図１２に示す変形例２のように、目地形成部材取付部２２の中央部がねじ棒２６の上端と略一致するように配置してもよい。
【００６１】
また、上記実施形態では、ねじ棒２６を用いて目地形成部材１の高さ調整を行っているが、これに限らず、例えば、図１３に示す変形例３のように、異形鉄筋のような複数の凸部５８ａ，５８ａ、…が長手方向に所定間隔をあけて形成された棒材５８を用いて目地形成部材１の高さ調整を行うようにしてもよい。この場合、棒材５８の凸部５８ａと凸部５８ａとの間に結束線６０を巻き付けるとともに、この結束線６０を板材３０にも巻き付けることで板材３０を所定高さで固定することができる。
【００６２】
また、板材３０の屈曲板部３０ｂの形状はＶ字状以外にも、例えば図１４に示す変形例４のように、円弧状に湾曲させた形状であってもよい。この場合、屈曲板部３０ｂの曲率が鉄筋１１１の曲率よりも大きくなるようにするのが好ましい。
【００６３】
また、固定治具２０に固定する目地形成部材１としては、図１５に示すようにコンクリートと目地形成部材１との間の止水性を確保するための止水材６１が固着されたものであってもよい。図１５（ａ）は上記実施形態の目地形成部材１における脚部３，３に止水材６１を固着したものを示している。図１５（ｂ）は断面長方形の目地形成部材１の外面に止水材６１を固着したものを示している。図１５（ｃ）は断面台形の目地形成部材１の外面に止水材６１を固着したものを示している。図１５（ｄ）は断面三角形の目地形成部材１の外面に止水材６１を固着したものを示している。図１５（ｅ）は断面長方形の中空状目地形成部材１の外面に止水材６１を固着したものを示している。図１５（ｆ）は一対の脚部３，３を備えた目地形成部材１においてその脚部３，３の外面に止水材６１を固着したものを示している。止水材６１は、目地形成部材１におけるコンクリートとの接触部分にのみ設けるようにすればよい。
【産業上の利用可能性】
【００６４】
以上説明したように、本発明にかかる目地形成部材の固定方法及び固定治具は、例えばコンクリート構造物に目地を形成する場合に使用できる。
【符号の説明】
【００６５】
１        目地形成部材
２０      固定治具
２１      鉄筋固定部
２２      目地形成部材取付部
２３      調整部
２６      ねじ棒
２７      第１ナット
２８      第２ナット
３０      板材（第１部材）
３１      調整ボルト（第２部材）
３６ａ    載置部
３６ｂ    かしめ部
１００    コンクリート構造物
１１０    鉄筋
１１１    鉄筋
【図１】
2014047614.tif 000003
【図２】
2014047614.tif 000004
【図３】
2014047614.tif 000005
【図４】
2014047614.tif 000006
【図５】
2014047614.tif 000007
【図６】
2014047614.tif 000008
【図７】
2014047614.tif 000009
【図８】
2014047614.tif 000010
【図９】
2014047614.tif 000011
【図１０】
2014047614.tif 000012
【図１１】
2014047614.tif 000013
【図１２】
2014047614.tif 000014
【図１３】
2014047614.tif 000015
【図１４】
2014047614.tif 000016
【図１５】
2014047614.tif 000017